(57)【要約】【課題】遠赤外線照射及びナノ特性を具えた陶磁製品によって、抗菌及び表面の光沢を保持し、活性化させる遠赤外線照射作用のナノ特性釉薬を提供する。【解決手段】遠赤外線照射作用のナノ特性釉薬は、35-65%の溶剤、1-35%の融剤、0-25%の耐火剤、0.5-30%の遠赤外線粉剤及び0.5-10%のナノ材料から構成される。そこに更に水を加えて研磨し、350±20g/200ccの濃度、細かさの程度は200〜325目の釉薬にし、陶磁の生素地もしくは白素地の表面に被せ、陶磁生素地もしくは白素地を1120から135℃の温度で焼結する。【選択図】図2
2005015334.tif 000002
【特許請求の範囲】
【請求項１】
遠赤外線照射作用のナノ特性釉薬において、
そのナノ特性釉薬は、
35-65%の溶剤、1-35%の融剤、0-25%の耐火剤、0.1-5%の粘着剤、0.5-30%の遠赤外線粉剤及びO.5-10%のナノ材料から構成され、すべての比率は重量に対する百分率であることを特徴とする遠赤外線照射作用のナノ特性釉薬。
【請求項２】
前記溶剤は、長石、ホウ素、ホウ酸、ホウ砂、ケイ酸ホウ素と石英粉中の一種もしくは数種であることを特徴とする請求項1記載の遠赤外線照射作用のナノ特性釉薬。
【請求項３】
前記ホウ素は、ホウ酸、ホウ砂、ケイ酸ホウ素もしくはホウ素化合物から抽出することを特徴とする請求項2記載の遠赤外線照射作用のナノ特性釉薬。
【請求項４】
前記融剤は、炭酸カルシウム、炭酸バリウム、炭酸リチウム、炭酸マグネシウム、酸化亜鉛もしくは滑石粉中の一種もしくは数種であることを特徴とする請求項1記載の遠赤外線照射作用のナノ特性釉薬。
【請求項５】
前記耐火剤は、高嶺土もしくは蛙目土中の一種もしくは二種であることを特徴とする請求項1記載の遠赤外線照射作用のナノ特性釉薬。
【請求項６】
前記粘着剤は、二酸化ケイ素、酸化マグネシウム、酸化アルミニウム、酸化鉄・酸化カルシウム・酸化ナトリウム、酸化カリウム、酸化リチウム及び無機樹脂から構成されることを特徴とする請求項1記載の遠赤外線照射作用のナノ特性釉薬。
【請求項７】
前記粘着剤は、38.42%の二酸化ケイ素、17.13%の酸化マグネシウム、0.69%の酸化アルミニウム、0.11%の酸化鉄、3.25%の酸化カルシウム、4.96%の酸化ナトリウム、0.07%の酸化カリウム、0.72%の酸化リチウム及び24.84%の無機樹脂から構成されることを特徴とする請求項1記載の遠赤外線照射作用のナノ特性釉薬。
【請求項８】
前記遠赤外線粉剤は、ジルコニウム元素であることを特徴とする請求項1記載の遠赤外線照射作用のナノ特性釉薬。
【請求項９】
前記ナノ材料は、銀、ケイ素、アルミニウム、ナトリウム、カリウム、マグネシウム、カルシウム、メタン、鉄、リチウム元素の合成物あるいはその酸化物であることを特徴とする請求項１記載の遠赤外線照射作用のナノ特性釉薬。
【請求項１０】
遠赤外線照射作用のナノ特性釉薬は、これらを混合した後に水を加え、350±20ｇ/200ccの濃度、細かさの程度は200〜325目の釉薬に設定し、
それを被覆し、陶磁の生素地もしくは白素地の表面に被せ、陶磁生素地もしくは白素地を1120から135℃の温度で焼結すると、遠赤外線照射作用、且つナノ特性を具えた陶磁製品となることを特徴とする請求項1から9記載の遠赤外線照射作用のナノ特性釉薬。
【発明の詳細な説明】
【技術分野】
【０００１】
本発明は、遠赤外線照射作用のナノ特性釉薬に関するもので、陶磁器の生素地、或いは白素地の表面に被覆し、陶磁器粗材と共に遠赤外線照射作用及びナノ特性を具えた陶磁製品の釉薬を被覆することによって、表面が光沢、美観を保ち、細菌、ウイルスの付着を防止する抗菌作用を具えたものである。
【背景技術】
【０００２】
一般に食器、建材、衛生設備品等の陶磁製品は、主に粘土、長石、石英等陶磁粉末顆粒を混合、研磨、成形、焼成などの工程を経て陶磁の粗材が完成する。陶磁生素地の表面は、金型表面の粗さの程度及び使用した陶磁粉末顆粒の外形や大きさが忠実に出る。即ち初期原料の顆粒が大きければ大きいほど、粗さの程度も大きくなる。
【０００３】
一般に陶磁製品の表面は、すべて一層の釉薬Aが施され、図1に示すとおり、釉薬Aの原料と生素地若しくは白素地B原料の主な成分はほぼ同じである。焼成後、釉薬のガラスが多いと、白素地の表面は滑らかで光沢が出る。通常、釉薬に顔料を入れるのは、黄色がかった白素地の色を覆ってしまう他に、異なる色をつけてより美観を高めることが目的である。
【０００４】
しかし、釉薬の原料は陶磁原料粉末と同じで、混合、研磨等の工程を経なければならないため、釉薬層表面の粗さ程度はその原料粒の大小の影響を受け、当然同時に白素地表面の粗さ程度の影響も受ける。更に焼成時、白素地及び釉薬面はどちらも収縮するため、表面は常に凹凸や針孔等の欠陥が発生する。これらの凹凸表面及び針孔は、汚れ及び細菌が溜まる原因となり、これらは少しずつ溜まって繁殖し、陶磁製品の表面を汚すため、常にブラシ洗浄や塩や酸などの洗浄方法で汚れや細菌を除去しなければならず、不便である。
【０００５】
また、市場には陶磁製品表面に光触媒抗菌剤を被覆したものがある。光触媒は紫外線の照射によってウイルス構造の水酸基を破壊する。しかし、この方法は光触媒が剥がれると効果が消失する。更にこの機能は紫外線照射に於いて殺菌効果を具えるのであり、殺菌作用は抗菌作用に対応して弱くなるため、真にウイルス拡散の防止目的には達しない。
【０００６】
別に市場には陶磁器内に遠赤外線粉を入れ、陶磁器に遠赤外線放射効果を持たせているものがある。これは遠赤外線粉体が大量に陶磁器中に混合され、焼結している。そのため陶磁器は有効に遠赤外線波を得ることができ、界面材が粘着する効果によって、陶磁器表面の孔が補充され、水から有効に隔絶する。しかし、この遠赤外線の原料は鉄、マンガン、銅もしくはクロム等の金属から構成されているため、その色は土色などの僅かな色だけで、多種の色には適応できない。
【発明の開示】
【発明が解決しようとする課題】
【０００７】
解決しようとする問題点は、長時間使用すると、機能が衰えてしまい、別に原料が限定されるため、多彩な色に適応できない点である。
【課題を解決するための手段】
【０００８】
本発明は、35-65%の溶剤、1-35%の融剤、0-25%の耐火剤、0.5-30%の遠赤外線粉剤及び0.5-10%のナノ材料から構成される。そこに更に水を加えて研磨し、350±20ｇ/200ccの濃度、細かさの程度は200〜325目の釉薬にし、陶磁の生素地もしくは白素地の表面に被せ、陶磁生素地もしくは白素地を1120から135℃の温度で焼結することを最も主要な特徴とする。
【発明の効果】
【０００９】
本発明の遠赤外線照射作用のナノ特性釉薬は、陶磁製品表面の光沢、美観を保ち、細菌、ウイルス付着成長を阻止した抗菌作用を具え、また、物質の機能を高めるという利点がある。
【発明を実施するための最良の形態】
【００１０】
本発明の釉薬全体の組織構成は以下を含む。
A.溶剤は、長石、ホウ素もしくは石英粉から構成され、そのうち、ホウ素は、ホウ酸、ホウ砂、ケイ酸ホウ素もしくはホウ素化合物から抽出する。その比率は、釉薬含量の約35%〜65%である。
B.融材は、炭酸カルシウム、炭酸バリウム、炭酸リチウム、炭酸マグネシウム、酸化亜鉛もしくは滑石粉から構成される。その比率は、釉薬含量の約1〜35%である。
C.耐火剤は、高嶺土もしくは蛙目土から構成される。その比率は、釉薬含量の0〜25%である。
D.粘着剤は、38.42%の二酸化ケイ素、17.13%の酸化マグネシウムとケイ酸ホウ素、0.69%の酸化アルミニウム、0.11%の酸化鉄、3.25%の酸化カルシウム、4.96%の酸化ナトリウム、0.07%の酸化カリウム、0.72%の酸化リチウム及び24.84%の無機樹脂から構成される。その比率は、釉薬含量の0.1%〜5%である。
E.遠赤外線粉材は、ジルコニウム元素の遠赤外線粉材である。その比率は、釉薬含量の約0.5%〜30%である。
F.ナノ材料は、銀、ケイ素、アルミニウム、ナトリウム、カリウム、マグネシウム、カルシウム、メタン、鉄、リチウム元素の合成物あるいはその酸化物である。その比率は、釉薬含量の約0.5%〜１0%である。
【００１１】
前述の溶剤、融剤、耐火剤、粘着剤、遠赤外線材料及びナノ材料を適する比率で混合した後、0.6〜1.5倍の釉薬量の水を加えて十分研磨する。すべての材料を研磨して、350±20g/200ccの濃度、細かさの程度は200〜325目にする。
【００１２】
完成した釉薬1を実際に被覆する時、陶磁の生素地もしくは白素地Bの表面に被せる。図2に示すとおり、陶磁生素地もしくは白素地を1120〜1350℃の温度で焼結すると、遠赤外線照射作用、且つナノ特性を具えた湯飲み容器、ろ過材、建材、トイレ浴室用具となる。陶磁製品を実際に使う場合、ナノ特性を具えると、埃、油汚れ等の汚れが付着せず、更に陶磁製品の表面は光沢、美観が保たれ、更に細菌、ウイルス防止の抗菌作用が発生する。便器、男性用便器に応用され、排出物中のウイルスの繁殖を防ぎ、抗菌作用によって殺菌効果があり、伝染病の拡散を有効に防止する。
【００１３】
更に陶磁製品の遠赤外線機能によって、活性化した生素地もしくは白素地もしくは通過した物質の分子特性がその物質の機能を引き上げ、且つこの物質の機能効果を得ることができ、またジルコニウム元素を使用するによって、遠赤外線粉材の原料は色が変化し、多様化した放射率が増加する。反応時間は1〜3秒で減少作用がある。専門家が実証した遠赤外線には以下の特徴がある。
１.放射形態は放射波で、空気伝動を必要としない。
２.浸透力が人の皮下組織に深く達し、肌の内部から体を強化する。
３.共鳴、吸収の形態は、遠赤外線の波長が人体に必要な遠赤外線の波長に近く(約4〜50um)、物質が照射されると、内部分子は共振共鳴作用を発し、人が吸収して体の機能を活性化する。
【００１４】
上述が人体にどのような助けとなるかは、
１.新陳代謝を促進:血液循環不良を改善し、血圧を案適させ、神経系統を調和させ、長期に有害な蓄積物を排出し、疾病を防止する。
２.癌細胞増殖を予防:「温熱療法」は遠赤外線の医学に対する大きな貢献となった。癌細胞を有効に抑制、死滅させる。
３.老化予防、老化遅延:細胞を活性化すると、内部代謝が正常になり、外部皮膚の毛穴に化粧品や空気中の塵埃を残しにくくする。
４.細胞再生力を向上、細胞再生力を活性化し、頭をすっきりさせ、免疫力を向上させ、生殖能力にも相当な効果がある。
【００１５】
本発明の釉薬を使用した実際の試作製品で、そのうちの飲物容器に応用する場合、お茶もしくは酒を試験陶磁容器に入れた場合と、普通の陶磁製品に入れた場合では、1〜3秒後の間で明らかな水質の改善がある。
【００１６】
また、タバコフィルターのフィルター材に使用する場合、タバコに火をつけてすぐにタバコを吸った場合、タバコの味が変わったことをすぐに感じる。またこのフィルター材は遠赤外線作用を具えるため、タールが付着しない。そのためタールはフィルター材には付着せず、タバコのフィルター上に残るので、人が多量のタールを摂取することがない。
【００１７】
また、試験陶磁の湯飲みにそれぞれ鉛筆及びサラダ油を入れて実験する。鉛筆を試験陶磁湯飲みの表面に書いてみる。すると、鉛筆の芯の跡は少しも残らない。また、サラダ油を試験陶磁湯飲みに適量入れてみる。試験陶磁湯飲みの面上には油がまったく付着しない。
【００１８】
抗菌、抗汚に対して有用であることを証明する為、台湾検験科技株式会杜(ＳＧＳ)に、表１、表２のテストを依頼した。
【表１】
2005015334.tif 000003
【００１９】
テスト一：サンプル内外表面にそれぞれ数滴の汚染剤をたらす。それを温度23℃、相対湿度50%の環境下に16時間放置する。その後一般的な雑巾で汚染剤を拭き取る。方法は普通の手の力で往復20回拭き、表面の汚染剤の残留状況を記録する。結果：表面に汚染剤の残留はなかった。
【表２】
2005015334.tif 000004
【００２０】
テメト二：黄金色の葡萄球菌及び大腸桿菌に対する抗菌テストを行う。その結果、どちらも10のテスト極限より小さく、当製品の抗菌効果が極めてよい。
【００２１】
本発明の釉薬は陶磁生素地もしくは白素地表面と同時進行し、完全な陶磁製品となる。そのため、遠赤外線照射機能及びナノ特性が常に存在し続け、長時間の使用でも衰えない。
【図面の簡単な説明】
【００２２】
【図１】公知の一般陶磁釉薬を白素地上に被覆した状況図である。
【図２】本発明のナノ釉薬を白素地上に被覆した状況図である。
【符号の説明】
【００２３】
Ａ  釉薬
Ｂ  生素地もしくは白素地
１  ナノ特性釉薬
【図１】
2005015334.tif 000005
【図２】
2005015334.tif 000006